(57)【特許請求の範囲】
【請求項１】
タッチパネルと、タッチパネル上のタッチ位置候補を検出するタッチ位置検出部とを備え、
上記タッチ位置検出部は、上記タッチ位置候補の妥当性を判断する妥当性判断部を備え、
上記妥当性判断部は、判断部と、記憶部とを備え、
上記記憶部は、上記判断部で妥当性があると判断されたタッチ位置候補のタッチ位置およびタッチ位置の移動速度を記憶し、
上記判断部は、ある時点の直前のタッチ位置および直前のタッチ位置の移動速度の少なくとも一方を、上記記憶部から読み出して設定した範囲に基づいて、ある時点に検出された複数のタッチ位置候補の妥当性を判断すると共に、妥当性があると判断したタッチ位置候補のタッチ位置およびタッチ位置の移動速度を、その直前のタッチからつづく次のタッチに対応する情報として、上記記憶部に記憶することを特徴とするタッチパネルシステム。
【請求項２】
上記判断部は、上記複数のタッチ位置候補のうち、上記範囲内に検出されたタッチ位置候補のみを妥当性があると判断することを特徴とする請求項１に記載のタッチパネルシステム。
【請求項３】
上記判断部は、妥当性を判断するある時点の直前のタッチ位置を中心とし、上記タッチパネルの周囲全長の６〜１０％が半径である領域を、上記範囲として設定することを特徴とする請求項１または２に記載のタッチパネルシステム。
【請求項４】
上記判断部は、妥当性を判断するある時点の直前のタッチ位置を中心とし、上記直前のタッチ位置から直前のタッチ位置の移動速度の３〜５倍で進んだ位置までの長さが半径である領域を、上記範囲として設定することを特徴とする請求項１または２に記載のタッチパネルシステム。
【請求項５】
上記判断部は、妥当性を判断するある時点の直前のタッチ位置を中心とし、上記タッチパネルの周囲全長の４〜８％が半径である第１の領域と、上記直前のタッチ位置を中心とし、上記直前のタッチ位置から直前のタッチ位置の移動速度の２〜３倍で進んだ位置までの長さが半径である第２の領域とを、上記範囲として設定し、上記第１の領域内、かつ、上記第２の領域内に検出されたタッチ位置が妥当であると判断することを特徴とする請求項１または２に記載のタッチパネルシステム。
【発明の詳細な説明】
【技術分野】
【０００１】
本発明は、タッチパネルシステムおよびそれを備えた電子機器に関し、特に、タッチ操作の誤認識を防止することのできるタッチパネルシステムおよびそれを備えた電子機器に関するものである。
【背景技術】
【０００２】
現在、スマートフォン等の携帯情報機器、自動券売機等の自動販売機を始めとする様々な電子機器に、タッチパネルシステムの搭載が急速に進んでいる。タッチパネルシステムに搭載される主流のタッチパネルは、抵抗膜方式のタッチパネルである。しかし最近では、マルチタッチが可能であることなどの理由から、投影型静電容量方式のタッチパネルが普及してきている。【０００３】
このようなタッチパネルシステムの一例として、特許文献１には、コマンド入力装置が開示されている。このコマンド入力装置は、タッチパネルと、接触時間検出手段と、接触回数検出手段と、接触間隔検出手段と、入力コマンド判定手段とを備えている。接触時間検出手段は、タッチパネルに指が連続的に接触している時間を検出する。接触回数検出手段は、タッチパネルに指が触れた回数を検出する。接触間隔検出手段は、指がタッチパネルから離れて次に接触するまでの時間を検出する。入力コマンド判定手段は、接触時間検出手段、接触回数検出手段、および、接触間隔検出手段の検出結果に基づいて、入力コマンドを判定する。【０００４】
図１１は、特許文献１に記載のコマンド入力装置の動作を説明するフローチャートである。図１１のように、上記コマンド入力装置は、タッチパネルに指を接触する時間・回数・間隔に基づいてコマンドを入力できるようになっている（Ｓ５０１〜５０７）。そして、入力されたコマンドに基づいてコマンドが判定される（Ｓ５０８）。さらに、判定されたコマンドに基づいて動作が選択され（Ｓ５０９）、その動作に応じて制御される（Ｓ５１０）。
【先行技術文献】
【特許文献】
【０００５】
【特許文献１】日本国公開特許公報「特開２００４−３６２４２９号公報（２００４年１２月２４日公開）」
【発明の概要】
【発明が解決しようとする課題】
【０００６】
しかしながら、従来のタッチパネルシステムは、タッチ操作中に発生したノイズを、タッチ位置として認識してしまうという問題がある。【０００７】
具体的には、従来のタッチパネルシステムでは、所定時間ごとにタッチ位置を検知することにより、ある時点のタッチ位置（現在のタッチ位置）が認識される。このため、タッチパネル上にノイズが発生した場合、認識すべき本来の位置に加えて、ノイズの位置までもがタッチ位置として認識される。その結果、直前のタッチ位置から極端に離れた位置のノイズが、タッチ位置として誤認識されてしまう。【０００８】
特許文献１に記載のコマンド入力装置は、カーナビゲーション装置としての適用が意図されている。すなわち、上記コマンド入力装置は、タッチパネルへの連続接触時間、接触回数、接触時間間隔に基づいて、入力コマンドを判定する。これによって、運転中のコマンド入力時に運転者がタッチパネルに視線を移す必要がなく、車両が振動していても正確なコマンド入力が可能となる。このため、上記コマンド入力装置も、直前のタッチ位置から極端に離れた位置のノイズが、タッチ位置として誤認識されてしまう。【０００９】
本発明は、上記従来の問題点に鑑みてなされたものであり、その目的は、タッチ操作の誤認識を防止することができるタッチパネルシステム等を提供することにある。
【課題を解決するための手段】
【００１０】
上記の課題を解決するために、本発明の一態様に係るタッチパネルシステムは、タッチパネルと、タッチパネル上のタッチ位置候補を検出するタッチ位置検出部とを備え、上記タッチ位置検出部は、上記タッチ位置候補の妥当性を判断する妥当性判断部を備え、上記妥当性判断部は、判断部と、記憶部とを備え、上記記憶部は、上記判断部で妥当性があると判断されたタッチ位置候補のタッチ位置およびタッチ位置の移動速度を記憶し、上記判断部は、ある時点の直前のタッチ位置および直前のタッチ位置の移動速度の少なくとも一方を、上記記憶部から読み出して設定した範囲に基づいて、ある時点に検出された複数のタッチ位置候補の妥当性を判断すると共に、妥当性があると判断したタッチ位置候補のタッチ位置およびタッチ位置の移動速度を、その直前のタッチからつづく次のタッチに対応する情報として、上記記憶部に記憶することを特徴としている。
【発明の効果】
【００１１】
本発明の一態様によれば、タッチ操作の誤認識を防止することができるという効果を奏する。
【図面の簡単な説明】
【００１２】
【図１】本発明の実施形態１に係るタッチパネルシステムの概略図である。
【図２】図１のタッチパネルシステムにおける妥当性判断部を示すブロック図である。
【図３】図１のタッチパネルシステムにおける妥当性判断部の処理を示すフローチャートである。
【図４】図１のタッチパネルシステムにおける妥当性判断部の処理を示す模式図である。
【図５】本発明の実施形態２に係るタッチパネルシステムにおける妥当性判断部の処理を示すフローチャートである。
【図６】本発明の実施形態２に係るタッチパネルシステムにおける妥当性判断部の処理を示す模式図である。
【図７】本発明の実施形態３に係るタッチパネルシステムにおける妥当性判断部の処理を示すフローチャートである。
【図８】本発明の実施形態３に係るタッチパネルシステムにおける妥当性判断部の処理を示す模式図である。
【図９】本発明の実施形態３に係るタッチパネルシステムにおける妥当性判断部の他の処理を示す模式図である。
【図１０】本発明の実施形態４に係る携帯電話機の構成を示すブロック図である。
【図１１】特許文献１に記載のコマンド入力装置の動作を説明するフローチャートである。
【発明を実施するための形態】
【００１３】
〔実施形態１〕
（タッチパネルシステム１の構成）
以下、本発明の実施形態について、詳細に説明する。なお、以下の説明において、「Ａ〜Ｂ」という記載は、「Ａ以上Ｂ以下」を示すものとする。
【００１４】
図１は、本発明の実施形態１に係るタッチパネルシステム１の基本構成を示す概略図である。図１に示すように、タッチパネルシステム１は、表示装置２、タッチパネル３、ドライブライン駆動部４、タッチ位置検出部５、およびホスト端末６を備えている。以下では、使用者が利用する側を、前面（または上方）として説明する。
【００１５】
表示装置２は、表示面を有している。表示面には、操作用の各種アイコンや、使用者の操作指示に応じた文字情報等が表示される。表示装置２は、例えば、液晶ディスプレイ、プラズマディスプレイ、有機ＥＬディスプレイ、電界放出ディスプレイ（ＦＥＤ；field emission display）等から構成される。これらのディスプレイは、日常的な電子機器に多用されており、汎用性の高いタッチパネルシステム１が構成される。表示装置２は、任意の構成とすればよく、特に限定されない。
【００１６】
タッチパネル３は、使用者が指またはペン等の指示体により、タッチパネル３の表面をタッチ（押圧）操作することによって、各種の操作指示を入力する。タッチパネル３は、表示面を覆うように、表示装置２の前面（上部）に積層されている。本実施形態では、タッチパネル３として、投影型静電容量方式のタッチパネルを用いている。静電容量方式のタッチパネル３は、透過率が高く、耐久性も有するという利点を有する。しかし、タッチパネル３の方式は限定されるものではなく、他の方式であってもよい。例えば、タッチパネル３の方式は、抵抗膜方式、電磁誘導方式、超音波表面弾性波方式、または、赤外線走査方式であってもよい。
【００１７】
具体的には、タッチパネル３は、表示面に沿って設けられる複数の平行なドライブラインＤＬと、表示面に沿って設けられドライブラインＤＬと立体交差する複数の平行なセンスラインＳＬとを備える。ドライブラインＤＬとセンスラインＳＬとの交差部分には、静電容量が形成されている。ドライブラインＤＬ及びセンスラインＳＬは、いずれも、例えば、ＩＴＯ（Indium Tin Oxide：酸化インジウムスズ）などの透明な配線材料、または、金属メッシュから形成することができる。ドライブラインＤＬ及びセンスラインＳＬは、表示装置２（表示面の一部を成すパネル体）に配線される。なお、図１では、ドライブラインＤＬとセンスラインＳＬとが垂直に立体交差する場合について例示しているが、垂直以外の角度で立体交差してもよい。
【００１８】
ドライブライン駆動部４は、ドライブラインＤＬに接続されており、タッチパネルシステム１の起動時に、ドライブラインＤＬに一定周期で電位を印加する。ドライブライン駆動部４は、ドライブラインＤＬを駆動することで当該ドライブラインＤＬと立体交差するセンスラインＳＬに状態信号を生成させる。状態信号は、タッチパネル３上の上記立体交差部分やその近傍部分（以下、検出領域（図１中の検出領域Ｘ））上におけるタッチの状態を示す信号である。
【００１９】
状態信号は、ドライブラインＤＬとセンスラインＳＬとの間の静電容量に応じた値となり、タッチパネル３上の検出領域Ｘに対して接触あるいは近接しているかを示す信号となる。つまり、状態信号は、検出領域Ｘに対する接触あるいは近接の有無や、検出領域Ｘと指示体との離間距離などを示す信号となる。なお、指示体が検出領域Ｘに接触または近接するほど、静電容量は小さくなる。
【００２０】
タッチ位置検出部５は、タッチパネル３からの信号を処理し、タッチ位置を検出する。すなわち、タッチ位置検出部５は、センスラインＳＬに生成された状態信号を処理することで、表示面に接触または近接するタッチの位置を検出する。タッチ位置検出部５は、増幅部５１、信号取得部５２、Ａ／Ｄ変換部５３、復号処理部５４、タッチ位置算出部５５、および妥当性判断部５６を、タッチパネル３側からこの順に備えている。
【００２１】
増幅部５１は、センスラインＳＬに生成される状態信号を増幅する。信号取得部５２は、増幅部５１によって増幅された状態信号を取得して時分割で出力する。Ａ／Ｄ変換部５３は、信号取得部５２から出力されたアナログ信号をデジタル信号に変換する。復号処理部５４は、Ａ／Ｄ変換部１２３で変換されたデジタル信号に基づいて、タッチパネル３内の容量分布の変化量を求める。タッチ位置算出部５５は、復号処理部５４で求められた容量分布の変化量に基づいて、タッチパネル３上のタッチの位置を算出し、その位置を示すタッチ位置情報を生成する。妥当性判断部５６は、タッチ操作の進行に伴う、直前のタッチ位置に対する現在のタッチ位置、および、直前のタッチ位置の移動速度に対する現在のタッチ位置の移動速度の少なくとも一方を検出し、その検出結果に基づいて、現在のタッチ位置の妥当性を判断する。妥当性判断部５６の詳細は、後述する。
【００２２】
ホスト端末６は、ドライブライン駆動部４が駆動するドライブラインＤＬを制御する。また、ホスト端末６は、タッチ位置検出部５が状態信号を処理するセンスラインＳＬを制御する。なお、以下では、ホスト端末６がこれらの両方を制御する場合について例示するが、ホスト端末６がこれらの一方のみを制御してもよい。
【００２３】
（タッチパネルシステム１の基本動作）
次に、図１を参照して、このタッチパネルシステム１の基本動作の一例について説明する。なお、以下では、タッチパネルシステム１がタッチパネル３に接触または近接する指示体を検出する１回の試行動作について説明する。
【００２４】
最初に、ドライブライン駆動部４がドライブラインＤＬを駆動して、センスラインＳＬに状態信号を生成する。次に、増幅部５１が、センスラインＳＬに生成される状態信号を増幅する。さらに、信号取得部５２が、増幅部５１で増幅された状態信号を、時分割で出力する。なお、ドライブライン駆動部４、増幅部５１及び信号取得部５２のそれぞれは、ホスト端末６によってその動作が制御される。すなわち、ホスト端末６は、駆動すべきドライブラインＤＬ、状態信号を処理すべきセンスラインＳＬを制御する。
【００２５】
次に、Ａ／Ｄ変換部５３が、信号取得部５２から出力されたアナログ信号を、所定のビット数のデジタル信号に変換する。続いて、復号処理部５４は、Ａ／Ｄ変換部５３によって変換されたデジタル信号に基づいて、タッチパネル３内の容量分布の変化量を求める。例えば、復号処理部５４は、タッチの検出前に、タッチパネル３上にタッチ対象（指示体）が存在しない場合のデジタル信号を取得して、タッチパネル３上にタッチ対象（指示体）が存在しない場合の容量分布をあらかじめ求めておく。そして、復号処理部５４は、Ａ／Ｄ変換部５３から指示体の検出時のデジタル信号を取得して、指示体が存在する場合の容量分布を求める。そして、あらかじめ求めたタッチ対象が存在しない場合の容量分布と、タッチ対象が存在する場合の容量分布とを比較して、容量分布の変化量を求める。この容量分布の変化量は、タッチ対象（指示体）に起因する静電容量の変化量とも言い換えられる。
【００２６】
タッチ位置算出部５５は、復号処理部５４で求められた容量分布の変化量に基づいて、タッチパネル３上のタッチ対象の位置を算出し、タッチ位置情報を生成する。例えば、タッチ位置算出部５５は、タッチパネル３上で静電容量の変化量が、タッチ判定しきい値よりも大きくなっている部分にタッチ対象が存在すると判断して、タッチパネル３上のタッチ対象の位置を算出する。
【００２７】
妥当性判断部５６は、タッチ操作中のタッチ位置およびタッチ位置の移動速度の少なくとも一方を用いて設定された範囲に基づいて、上記タッチ位置の妥当性を判断する。
【００２８】
図２に基づいて、妥当性判断部５６の一例について説明する。図２は、図１のタッチパネルシステム１における妥当性判断部５６の構成を示すブロック図である。図２に示すように、妥当性判断部５６は、記憶部５６ａと、判断部５６ｂとから構成されている。
【００２９】
記憶部５６ａは、タッチ位置算出部５５により算出されたタッチ位置の相対時刻とともに、タッチ位置、タッチ位置の移動速度を記憶する。タッチ位置算出部５５により算出されたタッチ位置の中には、ノイズがタッチ位置として誤認識されたものも含まれる。なお、記憶部５６ａは、任意の２点のタッチ位置の移動量と移動時間とからタッチ位置の移動速度を算出する。
【００３０】
判断部５６ｂは、記憶部５６ａから直前のタッチ位置および直前のタッチ位置の移動速度を読み出し、タッチパネル３上のタッチ位置候補の中から、本来検出すべきタッチ位置を判断する。すなわち、判断部５６ｂは、タッチ位置候補に含まれる誤認識されたタッチ位置（ノイズ）を除去し、正確なタッチ位置（タッチ位置の妥当性）を判断する。判断部５６ｂは、タッチ操作中に、記憶部５６ａに記憶されたタッチ位置およびタッチ位置の移動速度少なくとも一方を読み出して、その判断基準となる条件を設定する。そして、設定した条件に基づいて、タッチ位置の妥当性を判断する。つまり、その条件を満たす場合、そのタッチ位置またはタッチ位置の移動速度が妥当であると判断し、指示体によるタッチであるとみなす。一方、その条件を満たさない場合、そのタッチ位置またはタッチ位置の移動速度が妥当ではないと判断し、指示体によるタッチでない（ノイズである）とみなす。判断部５６ｂの処理の詳細については後述する。
【００３１】
タッチパネルシステム１では、このような試行動作を繰り返すことによって、タッチ対象である指示体を、継続的に検出する。
【００３２】
なお、ホスト端末６は、必要に応じてタッチ位置算出部５５から出力されるタッチ位置情報を参照して、ドライブライン駆動部４およびタッチ位置検出部５の各部を制御することができる。また、ホスト端末６は、タッチ位置検出部５が単位時間（例えば１秒）当たりにタッチ対象の検出を試行する回数であるフレームレートを、制御することができる。すなわち、タッチパネルシステム１では、ホスト端末６の制御によって、ドライブライン駆動部４が駆動すべきドライブラインＤＬ、タッチ位置検出部５が状態信号を処理すべきセンスラインＳＬ、フレームレート、検出感度などを、それぞれ任意に設定することができる。
【００３３】
（妥当性判断部５６の処理）
次に、タッチパネルシステム１の特徴的構成である妥当性判断部５６の詳細について説明する。タッチパネルシステム１では、タッチ位置検出部５が所定時間ごとにタッチ位置を検知することにより、ある時点のタッチ位置（現在のタッチ位置）が認識される。このため、タッチパネル３上にノイズが発生した場合、認識すべき本来の位置に加えて、ノイズの位置までもがタッチ位置として認識される。その結果、直前のタッチ位置から極端に離れた位置のノイズが、タッチ位置として誤認識されてしまう。
【００３４】
タッチパネルシステム１は、このような誤認識を防止する対策として、妥当性判断部５６を備えている。妥当性判断部５６は、タッチ位置およびタッチ位置の移動速度の少なくとも一方に基づいて、正確なタッチ位置を判断する。
【００３５】
以下では、図３および図４に基づいて、妥当性判断部５６が、タッチ位置に基づいてタッチ位置を判断する例について説明する。図３は、図１のタッチパネルシステム１における妥当性判断部５６の処理を示すフローチャートである。図４は、図１のタッチパネルシステム１における妥当性判断部５６の処理を示す模式図である。
【００３６】
上述のように、タッチ位置検出部５は、タッチパネル３からの信号を処理し、タッチ位置を検出する。具体的には、図３に示すように、タッチパネル３にタッチ操作が行われると（Ｓ１）、タッチ位置算出部５５は、タッチパネル３の静電容量の変化量に基づいて、現在のタッチ位置を算出し、算出結果を妥当性判断部５６に送信する。この現在のタッチ位置は、妥当性判断部５６での処理が済んでいないため、現在のタッチ位置候補（妥当性を判断するタッチ位置）である。妥当性判断部５６では、まず、判断部５６ｂが、現在のタッチ位置候補の情報と、記憶部５６ａに記憶された現在のタッチ位置候補の直前のタッチ位置の情報とを読み出す。さらに、判断部５６ｂは、直前のタッチ位置から現在のタッチ位置候補までの距離が、タッチパネル３の周囲全長の１０％を超えるか否かを判断する（Ｓ２）。
【００３７】
図４に基づいて判断部５６ｂの判断について説明する。図４の例では、タッチ位置の軌跡Ａと、２つの現在のタッチ位置候補Ｐ１（◆）Ｐ２（◇）とが示されている。タッチ位置の軌跡Ａの終端「×」は、直前のタッチ位置Ｐ０を示している。判断部５６ｂは、直前のタッチ位置Ｐ０を中心とし、直前のタッチ位置Ｐ０からタッチパネル３の周囲全長（４辺の長さの合計）の１０％の長さを半径Ｒ１とする範囲（図中破線で示された円）を設定する。判断部５６ｂは、この範囲に基づいてタッチ位置候補Ｐ１，Ｐ２の妥当性を判断する。例えば、判断部５６ｂは、タッチ位置候補がこの範囲内に検出された場合にのみ、そのタッチ位置候補が妥当なタッチ位置であると判断する。すなわち、図４では、現在のタッチ位置候補Ｐ１はこの範囲内にあるため、妥当なタッチ位置であると判断する。一方、現在のタッチ位置候補Ｐ２はこの範囲外にあり、この範囲とはかけ離れている。このため、現在のタッチ位置候補Ｐ２は、妥当なタッチ位置ではない（ノイズに起因する妥当でないタッチ位置である）と判断する。
【００３８】
このようにして、判断部５６ｂは、タッチ位置候補Ｐ１でタッチ操作された場合、そのタッチ位置（タッチ操作）が、直前のタッチから続く次のタッチである（妥当なタッチ位置である）とみなす（Ｓ３）。判断部５６ｂは、タッチ位置候補Ｐ１が現在のタッチ位置であることをタッチ位置算出部５５に出力すると共に、タッチ位置候補Ｐ１の位置およびタッチ位置候補Ｐ１の移動速度を、記憶部５６ａに出力し記憶させる（Ｓ４）。
【００３９】
一方、判断部５６ｂは、タッチ位置候補Ｐ２でタッチ操作された場合、そのタッチ位置（タッチ操作）が、直前のタッチから続く次のタッチである（妥当なタッチ位置である）とみなされない。従って、判断部５６ｂは、タッチ位置候補Ｐ２を現在のタッチ位置としてタッチ位置算出部５５に出力しない（Ｓ５）。
【００４０】
なお、図４の例では、妥当性判断部５６が、タッチパネル３の周囲全長の１０％の範囲を設定しているがこれに限定されるものではない。この範囲は、タッチ位置候補Ｐ１とタッチ位置候補Ｐ２とを区別することができればよい。ただし、この範囲は、タッチパネル３の周囲全長の６％〜１０％であることが好ましく、７％〜９％であることがより好ましく、７％〜８％であることが特に好ましい。このように範囲を設定すれば、本来検出されるべきタッチ位置候補Ｐ１と、ノイズに起因する妥当でないタッチ位置候補Ｐ２とが確実に区別される。従って、ノイズに起因する妥当でないタッチ位置候補Ｐ２を排除しつつ、正確なタッチ位置候補Ｐ１を現在のタッチ位置として検出することができる。
【００４１】
また、図４の例では、妥当性判断部５６が、タッチ位置のみに基づいてタッチ位置を判断する例について説明した。しかし、妥当性判断部５６は、タッチ位置およびタッチ位置の移動速度の少なくとも一方に基づいてタッチ位置を判断すればよい。
【００４２】
以上のように、タッチパネルシステム１では、タッチ位置検出部５は、タッチ操作中のタッチ位置およびタッチ位置の移動速度の少なくとも一方を用いて設定された範囲に基づいて、タッチ位置の妥当性を判断する妥当性判断部５６を備えている。
【００４３】
すなわち、妥当性判断部５６が、タッチ操作中のタッチ位置およびタッチ位置の移動速度の少なくとも一方に基づいて、タッチ位置の妥当性の判断基準となる範囲（図４に示される破線の円）を設定し、設定した範囲に基づいてタッチ位置（タッチ位置候補Ｐ１，Ｐ２）の妥当性を判断する。このため、ある時点で認識されたタッチ位置またはタッチ位置の移動速度（現在のタッチ位置または現在のタッチ位置の移動速度）が、タッチ位置候補Ｐ２のように、直前に認識されたタッチ位置またはタッチ位置の移動速度とは極端に異なる場合、その時点のタッチ位置またはタッチ位置の移動速度は、設定した範囲とはかけ離れることになる。これにより、本来検出されるべき妥当なタッチ位置（タッチ位置候補Ｐ１）と、ノイズに起因する妥当でないタッチ位置（タッチ位置候補Ｐ２）とが区別される。従って、タッチ位置の誤認識を防止することができる。
【００４４】
また、タッチパネルシステム１では、妥当性判断部５６は、上記範囲内にタッチ位置が検出された場合にのみ、そのタッチ位置が妥当であると判断する。
【００４５】
この構成では、妥当性判断部５６は、設定範囲内に検出されたタッチ位置のみ（タッチ位置候補Ｐ１のみ）を、本来検出されるべき妥当なタッチ位置として判断し、設定範囲外に検出されたタッチ位置（タッチ位置候補Ｐ２）を妥当でないタッチ位置であると判断する。これにより、ノイズに起因する妥当でないタッチ位置（妥当性を欠いたタッチ位置候補）が、タッチ位置検出部５で検出されたタッチ位置から排除される。従って、タッチ位置の誤認識を確実に防止することができる。
【００４６】
また、タッチパネルシステム１では、妥当性判断部５６は、妥当性を判断するタッチ位置の直前のタッチ位置Ｐ０を中心とし、タッチパネル３の周囲全長の６〜１０％が半径である円を、上記範囲として設定することが好ましい。
【００４７】
この構成では、妥当性判断部５６は、妥当性を判断するタッチ位置の直前のタッチ位置から、妥当性を判断するタッチ位置までの距離が、タッチパネル３の周囲全長の６〜１０％の範囲を設定し、その範囲に基づいてタッチ位置の妥当性を判断する。これにより、本来検出されるべきタッチ位置と、ノイズに起因する妥当でないタッチ位置とが確実に区別される。従って、ノイズに起因する妥当でないタッチ位置を排除しつつ、正確なタッチ位置を検出することができる。
【００４８】
〔実施形態２〕
本発明の他の実施形態について、図５および図６に基づいて説明すれば、以下のとおりである。なお、説明の便宜上、前記実施形態にて説明した部材と同じ機能を有する部材については、同じ符号を付記し、その説明を省略する。また、以下の説明では、実施形態１との相違点である妥当性判断部５６の処理を中心に説明する。
【００４９】
（妥当性判断部５６の他の処理）
実施形態２では、妥当性判断部５６が、妥当性を判断するタッチ位置の直前のタッチ位置Ｐ０を中心とし、直前のタッチ位置の移動速度の４〜５倍が半径である領域を、上記範囲として設定する。
【００５０】
図５は、本発明の実施形態２に係るタッチパネルシステム１における妥当性判断部５６の処理を示すフローチャートである。図６は、本発明の実施形態２に係るタッチパネルシステムにおける妥当性判断部５６の処理を示す模式図である。
【００５１】
具体的には、図５に示すように、タッチパネル３にタッチ操作が行われると（Ｓ１１）、タッチ位置算出部５５は、タッチパネル３の静電容量の変化量に基づいて、現在のタッチ位置を算出し、算出結果を妥当性判断部５６に送信する。この現在のタッチ位置は、妥当性判断部５６での処理が済んでいないため、現在のタッチ位置候補（妥当性を判断するタッチ位置）である。妥当性判断部５６では、まず、判断部５６ｂが、現在のタッチ位置候補の情報と、記憶部５６ａに記憶された現在のタッチ位置候補の直前のタッチ位置の情報とを読み出す。さらに、判断部５６ｂは、直前のタッチ位置の移動速度に対し、現在のタッチ位置候補の移動速度が５倍を超えるか否かを判断する（Ｓ１２）。
【００５２】
図６に基づいて判断部５６ｂの判断について説明する。図６の例では、タッチ位置の軌跡Ａと、２つの現在のタッチ位置候補Ｐ１（◆）Ｐ２（◇）とが示されている。タッチ位置の軌跡Ａの終端「×」は、直前のタッチ位置Ｐ０を示している。判断部５６ｂは、直前のタッチ位置Ｐ０を中心とし、直前のタッチ位置Ｐ０の移動速度の５倍の長さを半径Ｒ２とする範囲（図中破線で示された円）を設定する。判断部５６ｂは、この範囲に基づいてタッチ位置候補Ｐ１，Ｐ２の妥当性を判断する。例えば、判断部５６ｂは、タッチ位置候補がこの範囲内に検出された場合にのみ、そのタッチ位置候補が妥当なタッチ位置であると判断する。すなわち、図６では、現在のタッチ位置候補Ｐ１はこの範囲内にあるため、妥当なタッチ位置であると判断する。一方、現在のタッチ位置候補Ｐ２はこの範囲外にあり、この範囲とはかけ離れている。このため、現在のタッチ位置候補Ｐ２は、妥当なタッチ位置ではない（ノイズに起因する妥当でないタッチ位置である）と判断する。
【００５３】
このようにして、判断部５６ｂは、タッチ位置候補Ｐ１でタッチ操作された場合、そのタッチ位置（タッチ操作）が、直前のタッチから続く次のタッチである（妥当なタッチ位置である）とみなす（Ｓ１３）。判断部５６ｂは、タッチ位置候補Ｐ１が現在のタッチ位置であることをタッチ位置算出部５５に出力すると共に、タッチ位置候補Ｐ１の位置およびタッチ位置候補Ｐ１の移動速度を、記憶部５６ａに出力し記憶させる（Ｓ１４）。
【００５４】
一方、判断部５６ｂは、タッチ位置候補Ｐ２でタッチ操作された場合、そのタッチ位置（タッチ操作）が、直前のタッチから続く次のタッチである（妥当なタッチ位置である）とみなされない。従って、判断部５６ｂは、タッチ位置候補Ｐ２を現在のタッチ位置としてタッチ位置算出部５５に出力しない（Ｓ１５）。
【００５５】
なお、図６の例では、妥当性判断部５６が、直前のタッチ位置Ｐ０の移動速度の５倍の範囲を設定しているがこれに限定されるものではない。この範囲は、タッチ位置候補Ｐ１とタッチ位置候補Ｐ２とを区別することができればよい。ただし、この範囲は、直前のタッチ位置Ｐ０の移動速度の３倍〜５倍であることが好ましく、３．５倍〜４．５倍であることがより好ましく、３．５倍〜４倍であることが特に好ましい。このように範囲を設定すれば、本来検出されるべきタッチ位置候補Ｐ１と、ノイズに起因する妥当でないタッチ位置候補Ｐ２とが確実に区別される。従って、ノイズに起因する妥当でないタッチ位置候補Ｐ２を排除しつつ、正確なタッチ位置候補Ｐ１を現在のタッチ位置として検出することができる。
【００５６】
このように、実施形態２では、妥当性判断部５６が、妥当性を判断するタッチ位置の直前のタッチ位置を中心とし、上記直前のタッチ位置の移動速度の３〜５倍が半径である領域を、上記範囲として設定する。
【００５７】
すなわち、妥当性判断部５６は、妥当性を判断するタッチ位置の直前のタッチ位置から、直前のタッチ位置の移動速度の３〜５倍の範囲を設定し、その範囲に基づいてタッチ位置の妥当性を判断する。これにより、本来検出されるべきタッチ位置と、ノイズに起因する妥当でないタッチ位置とが確実に区別される。従って、ノイズに起因する妥当でないタッチ位置を排除しつつ、正確なタッチ位置を検出することができる。
【００５８】
〔実施形態３〕
本発明の他の実施形態について、図７〜図９に基づいて説明すれば、以下のとおりである。なお、説明の便宜上、前記実施形態にて説明した部材と同じ機能を有する部材については、同じ符号を付記し、その説明を省略する。また、以下の説明では、実施形態１、２との相違点である妥当性判断部５６の処理を中心に説明する。実施形態３における妥当性判断部５６の処理は、実施形態１，２の妥当性判断部５６の処理を組合せたものであるといえる。
【００５９】
（妥当性判断部５６の他の処理）
実施形態３では、妥当性判断部５６が、妥当性を判断するタッチ位置の直前のタッチ位置を中心とし、上記タッチパネルの周囲全長の４〜８％が半径である第１の領域と、上記直前のタッチ位置を中心とし、上記直前のタッチ位置の移動速度の２〜３倍が半径である第２の領域とを、上記範囲として設定し、上記第１の領域内、かつ、上記第２の領域内に検出されたタッチ位置が妥当であると判断する。
【００６０】
図７は、本発明の実施形態２に係るタッチパネルシステム１における妥当性判断部５６の処理を示すフローチャートである。図８は、本発明の実施形態３に係るタッチパネルシステムにおける妥当性判断部５６の処理を示す模式図である。図９は、本発明の実施形態３に係るタッチパネルシステムにおける妥当性判断部５６の他の処理を示す模式図である。
【００６１】
具体的には、図７に示すように、タッチパネル３にタッチ操作が行われると（Ｓ２１）、タッチ位置算出部５５は、タッチパネル３の静電容量の変化量に基づいて、現在のタッチ位置を算出し、算出結果を妥当性判断部５６に送信する。この現在のタッチ位置は、妥当性判断部５６での処理が済んでいないため、現在のタッチ位置候補（妥当性を判断するタッチ位置）である。妥当性判断部５６では、まず、判断部５６ｂが、現在のタッチ位置候補の情報と、記憶部５６ａに記憶された現在のタッチ位置候補の直前のタッチ位置の情報とを読み出す。さらに、判断部５６ｂは、直前のタッチ位置から現在のタッチ位置までの距離が、タッチパネルの周囲全長の８％を超え、かつ、直前のタッチ位置の移動速度に対し、現在のタッチ位置の移動速度が３倍を超えるか否かを判断する（Ｓ２２）。
【００６２】
図８および図９に基づいて判断部５６ｂの判断について説明する。図８および図９の例では、タッチ位置の軌跡Ａと、３つの現在のタッチ位置候補Ｐ１（◆）Ｐ２（◇）Ｐ３（◇）とが示されている。タッチ位置の軌跡Ａの終端「×」は、直前のタッチ位置Ｐ０を示している。なお、図８と図９との差異は、直前のタッチ位置の移動速度が相対的に小さいか（図８）、あるいは大きいか（図９）のみである。図８および図９は、便宜的に場合分けして記載されたものであり基本的な考え方は同じであるので、以降の説明においては、特に図８と図９とを区別せずに説明する。
【００６３】
判断部５６ｂは、（ａ）直前のタッチ位置Ｐ０を中心とし、直前のタッチ位置Ｐ０からタッチパネル３の周囲全長（４辺の長さの合計）の８％の長さを半径Ｒ３とする範囲（図中破線で示された外側の円）と、（ｂ）直前のタッチ位置Ｐ０を中心とし、直前のタッチ位置Ｐ０の移動速度の３倍の長さを半径Ｒ４とする範囲（図中破線で示された内側の円）を設定する。なお、図８と図９とを比較すると、直前のタッチ位置の移動速度が相対的に大きい図９の場合の方が、上記（ａ）および（ｂ）の範囲がいずれも広くなる。
【００６４】
判断部５６ｂは、上記（ａ）および（ｂ）の範囲に基づいてタッチ位置候補Ｐ１，Ｐ２，Ｐ３の妥当性を判断する。例えば、判断部５６ｂは、タッチ位置候補が上記（ａ）および（ｂ）の範囲内に検出された場合にのみ、そのタッチ位置候補が妥当なタッチ位置であると判断する。すなわち、図８，９では、現在のタッチ位置候補Ｐ１は上記（ａ）および（ｂ）の範囲内にあるため、妥当なタッチ位置であると判断する。
【００６５】
一方、現在のタッチ位置候補Ｐ２は、上記（ａ）および（ｂ）の範囲外にあり、この範囲とはかけ離れている。このため、現在のタッチ位置候補Ｐ２は、妥当なタッチ位置ではない（ノイズに起因する妥当でないタッチ位置である）と判断する。
【００６６】
さらに、現在のタッチ位置候補Ｐ３は、上記（ａ）の範囲内であるが、上記（ｂ）の範囲外である。このため、現在のタッチ位置候補Ｐ２は、妥当なタッチ位置ではない（ノイズに起因する妥当でないタッチ位置である）と判断する。
【００６７】
このようにして、判断部５６ｂは、タッチ位置候補Ｐ１でタッチ操作された場合、そのタッチ位置（タッチ操作）が、直前のタッチから続く次のタッチである（妥当なタッチ位置である）とみなす（Ｓ２３）。判断部５６ｂは、タッチ位置候補Ｐ１が現在のタッチ位置であることをタッチ位置算出部５５に出力すると共に、タッチ位置候補Ｐ１の位置およびタッチ位置候補Ｐ１の移動速度を、記憶部５６ａに出力し記憶させる（Ｓ２４）。
【００６８】
一方、判断部５６ｂは、タッチ位置候補Ｐ２，Ｐ３でタッチ操作された場合、そのタッチ位置（タッチ操作）が、直前のタッチから続く次のタッチである（妥当なタッチ位置である）とみなされない。従って、判断部５６ｂは、タッチ位置候補Ｐ２，Ｐ３を現在のタッチ位置としてタッチ位置算出部５５に出力しない（Ｓ２５）。
【００６９】
なお、図８，９の例では、妥当性判断部５６が、（ａ）タッチパネル３の周囲全長の８％である範囲と、（ｂ）直前のタッチ位置Ｐ０の移動速度の３倍の範囲とを設定しているがこれに限定されるものではない。これらの範囲は、タッチ位置候補Ｐ１とタッチ位置候補Ｐ２とを区別することができればよい。ただし、上記（ａ）の範囲は、タッチパネル３の周囲全長の４％〜８％であることが好ましく、５％〜７．５％であることがより好ましく、６％〜７％であることが特に好ましい。また、上記（ｂ）の範囲は、直前のタッチ位置Ｐ０の移動速度の２倍〜３倍であることが好ましく、２倍〜２．５倍であることが特に好ましい。このように範囲を設定すれば、本来検出されるべきタッチ位置候補Ｐ１と、ノイズに起因する妥当でないタッチ位置候補Ｐ２とが確実に区別される。従って、ノイズに起因する妥当でないタッチ位置候補Ｐ２、Ｐ３を排除しつつ、正確なタッチ位置候補Ｐ１を現在のタッチ位置として検出することができる。
【００７０】
このように、実施形態３では、妥当性判断部５６が、妥当性を判断するタッチ位置の直前のタッチ位置を中心とし、上記タッチパネルの周囲全長の４〜８％が半径である第１の領域と、上記直前のタッチ位置を中心とし、上記直前のタッチ位置の移動速度の２〜３倍が半径である第２の領域とを、上記範囲として設定し、上記第１の領域内、かつ、上記第２の領域内に検出されたタッチ位置が妥当であると判断する。
【００７１】
すなわち、妥当性判断部５６は、（ａ）妥当性を判断するタッチ位置の直前のタッチ位置から、妥当性を判断するタッチ位置までの距離が、タッチパネル周囲全長の２〜８％の範囲と、（ｂ）妥当性を判断するタッチ位置の直前のタッチ位置から、直前のタッチ位置の移動速度の２〜３倍の範囲と、を設定する。そして、この２つの範囲の両方を満たす条件で、タッチ位置の妥当性を判断する。これにより、本来検出されるべきタッチ位置と、ノイズに起因する妥当でないタッチ位置とが確実に区別される。従って、ノイズに起因する妥当でないタッチ位置を排除しつつ、正確なタッチ位置を検出することができる。このように、妥当性判断部は、タッチパネルの周囲全長と、直前のタッチ位置の移動速度との２種類のパラメータを用いてタッチ位置の妥当性を判断する。従って、タッチ位置の誤認識をより一層確実に防止することができる。
【００７２】
〔実施形態４〕
図１０は、タッチパネルシステム１を搭載した携帯電話機１０の構成を示す機能ブロック図である。携帯電話機（電子機器）１０は、ＣＰＵ７１と、ＲＡＭ７３と、ＲＯＭ７２と、カメラ７４と、マイクロフォン７５と、スピーカ７６と、操作キー７７と、タッチパネルシステム１とを備えている。各構成要素は、相互にデータバスによって接続されている。
【００７３】
ＣＰＵ７１は、携帯電話機１０の動作を制御する。ＣＰＵ７１は、たとえばＲＯＭ７２に格納されたプログラムを実行する。操作キー７７は、携帯電話機１０のユーザによる指示の入力を受ける。ＲＡＭ７３は、ＣＰＵ７１によるプログラムの実行により生成されたデータ、または操作キー７７を介して入力されたデータを揮発的に格納する。ＲＯＭ７２は、データを不揮発的に格納する。
【００７４】
また、ＲＯＭ７２は、ＥＰＲＯＭ（Erasable Programmable Read-Only Memory）やフラッシュメモリなどの書込みおよび消去が可能なＲＯＭである。なお、図１０には示していないが、携帯電話機１０が、他の電子機器に有線により接続するためのインターフェイス（ＩＦ）を備える構成としてもよい。
【００７５】
カメラ７４は、ユーザの操作キー７７の操作に応じて、被写体を撮影する。なお、撮影された被写体の画像データは、ＲＡＭ７３や外部メモリ（たとえば、メモリカード）に格納される。マイクロフォン７５は、ユーザの音声の入力を受付ける。携帯電話機１０は、当該入力された音声（アナログデータ）をデジタル化する。そして、携帯電話機１０は、通信相手（たとえば、他の携帯電話機）にデジタル化した音声を送る。スピーカ７６は、たとえば、ＲＡＭ７３に記憶された音楽データなどに基づく音を出力する。
【００７６】
ＣＰＵ７１は、タッチパネルシステム１の動作を制御する。ＣＰＵ７１は、例えばＲＯＭ７２に記憶されたプログラムを実行する。ＲＡＭ７３は、ＣＰＵ７１によるプログラムの実行により生成されたデータを揮発的に格納する。ＲＯＭ７２は、データを不揮発的に格納する。なお、タッチパネルシステム１には、ＲＯＭ７２、ＲＡＭ７３に格納されている画像を表示する。
【００７７】
なお、本発明は、以下のように表現することもできる。
【００７８】
〔まとめ〕
本発明の態様に係るタッチパネルシステム１は、タッチパネルと、タッチパネル上のタッチ位置を検出するタッチ位置検出部とを備え、上記タッチ位置検出部は、タッチ操作中のタッチ位置およびタッチ位置の移動速度の少なくとも一方を用いて設定された範囲に基づいて、上記タッチ位置の妥当性を判断する妥当性判断部を備えている。
【００７９】
上記の構成によれば、妥当性判断部が、タッチ操作中のタッチ位置およびタッチ位置の移動速度の少なくとも一方に基づいて、タッチ位置の妥当性の判断基準となる範囲を設定し、設定した範囲に基づいてタッチ位置の妥当性を判断する。このため、ある時点で認識されたタッチ位置またはタッチ位置の移動速度（現在のタッチ位置または現在のタッチ位置の移動速度）が、直前に認識されたタッチ位置またはタッチ位置の移動速度とは極端に異なる場合、その時点のタッチ位置またはタッチ位置の移動速度は、設定した範囲とはかけ離れることになる。これにより、本来検出されるべき妥当なタッチ位置と、ノイズに起因する妥当でないタッチ位置とが区別される。従って、タッチ位置の誤認識を防止することができる。
【００８０】
なお、特許文献１に記載のコマンド入力装置は、タッチパネルへの接触開始位置に依存せずに、入力コマンドを判定している。このため、直前のタッチ位置から極端に離れた位置のノイズをタッチ位置として誤認識することを防ぐことはできない。
【００８１】
本発明の態様に係るタッチパネルシステム１は、上記妥当性判断部は、上記範囲内にタッチ位置が検出された場合にのみ、そのタッチ位置が妥当であると判断することもできる。
【００８２】
上記の構成によれば、妥当性判断部は、設定範囲内に検出されたタッチ位置のみを、本来検出されるべき妥当なタッチ位置として判断し、設定範囲外に検出されたタッチ位置を妥当でないタッチ位置であると判断する。これにより、ノイズに起因する妥当でないタッチ位置（妥当性を欠いたタッチ位置候補）が、タッチ位置検出部で検出されたタッチ位置から排除される。従って、タッチ位置の誤認識を確実に防止することができる。
【００８３】
本発明の態様に係るタッチパネルシステム１は、上記妥当性判断部は、妥当性を判断するタッチ位置の直前のタッチ位置を中心とし、上記タッチパネルの周囲全長の６〜１０％が半径である領域を、上記範囲として設定することもできる。
【００８４】
上記の構成によれば、妥当性判断部は、妥当性を判断するタッチ位置の直前のタッチ位置から、妥当性を判断するタッチ位置までの距離が、タッチパネル周囲全長の６〜１０％の範囲を設定し、その範囲に基づいてタッチ位置の妥当性を判断する。これにより、本来検出されるべきタッチ位置と、ノイズに起因する妥当でないタッチ位置とが確実に区別される。従って、ノイズに起因する妥当でないタッチ位置を排除しつつ、正確なタッチ位置を検出することができる。
【００８５】
本発明の態様に係るタッチパネルシステム１は、上記妥当性判断部は、妥当性を判断するタッチ位置の直前のタッチ位置を中心とし、上記直前のタッチ位置の移動速度の３〜５倍が半径である領域を、上記範囲として設定することもできる。
【００８６】
上記の構成によれば、妥当性判断部は、妥当性を判断するタッチ位置の直前のタッチ位置から、直前のタッチ位置の移動速度の３〜５倍の範囲を設定し、その範囲に基づいてタッチ位置の妥当性を判断する。これにより、本来検出されるべきタッチ位置と、ノイズに起因する妥当でないタッチ位置とが確実に区別される。従って、ノイズに起因する妥当でないタッチ位置を排除しつつ、正確なタッチ位置を検出することができる。
【００８７】
本発明の態様に係るタッチパネルシステム１は、上記妥当性判断部は、妥当性を判断するタッチ位置の直前のタッチ位置を中心とし、上記タッチパネルの周囲全長の４〜８％が半径である第１の領域と、上記直前のタッチ位置を中心とし、上記直前のタッチ位置の移動速度の２〜３倍が半径である第２の領域とを、上記範囲として設定し、上記第１の領域内、かつ、上記第２の領域内に検出されたタッチ位置が妥当であると判断することもできる。
【００８８】
上記の構成によれば、妥当性判断部は、（ａ）妥当性を判断するタッチ位置の直前のタッチ位置から、妥当性を判断するタッチ位置までの距離が、タッチパネル周囲全長の４〜８％の範囲と、（ｂ）妥当性を判断するタッチ位置の直前のタッチ位置から、直前のタッチ位置の移動速度の２〜３倍の範囲と、を設定する。そして、この２つの範囲の両方を満たす条件で、タッチ位置の妥当性を判断する。これにより、本来検出されるべきタッチ位置と、ノイズに起因する妥当でないタッチ位置とが確実に区別される。従って、ノイズに起因する妥当でないタッチ位置を排除しつつ、正確なタッチ位置を検出することができる。このように、妥当性判断部は、タッチパネルの周囲全長と、直前のタッチ位置の移動速度との２種類のパラメータを用いてタッチ位置の妥当性を判断する。従って、タッチ位置の誤認識をより一層確実に防止することができる。
【００８９】
本発明の態様に係るタッチパネルシステム１において、上記タッチパネルは、投影型静電容量方式のタッチパネルであってもよい。
【００９０】
上記の構成によれば、動作原理が投影型静電容量方式のタッチパネルを備えているため、マルチタッチ（多点検出）が可能なタッチパネルシステムを提供することができる。
【００９１】
本発明の態様に係るタッチパネルシステム１は、表示装置をさらに備え、上記タッチパネルは、上記表示装置の前面に設けられていてもよい。
【００９２】
上記の構成によれば、タッチパネルが表示装置の前面に設けられているため、表示装置に発生したノイズがタッチ位置として誤認識されるのを防止することができる。
【００９３】
本発明の態様に係るタッチパネルシステム１は、上記表示装置は、液晶ディスプレイ、プラズマディスプレイ、または有機ＥＬディスプレイ、電界放出ディスプレイであってもよい。
【００９４】
上記の構成によれば、表示装置が、日常的な電子機器に多用されている各種ディスプレイから構成されている。従って、汎用性の高いタッチパネルシステムを提供することができる。
【００９５】
本発明の態様に係る電子機器は、前記いずれかに記載のタッチパネルシステムを備える構成である。
【００９６】
従って、タッチ操作の誤認識を防止することができる電子機器を提供することができる。
【００９７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９８】
本発明は、テレビ、パソコン、携帯電話、デジタルカメラ、携帯ゲーム機、電子フォトフレーム、携帯情報端末、電子ブック、家電製品、券売機、ＡＴＭ、カーナビゲーション等、タッチパネル式の各種電子機器に適用することができる。
【符号の説明】
【００９９】
１  タッチパネルシステム
２  表示装置
３  タッチパネル
４  ドライブライン駆動部
５  タッチ位置検出部
６  ホスト端末
１０  携帯電話機（電子機器）
５６  妥当性判断部
５６ａ  記憶部
５６ｂ  判断部
【図１】
0005855771.tif 000002
【図２】
0005855771.tif 000003
【図３】
0005855771.tif 000004
【図４】
0005855771.tif 000005
【図５】
0005855771.tif 000006
【図６】
0005855771.tif 000007
【図７】
0005855771.tif 000008
【図８】
0005855771.tif 000009
【図９】
0005855771.tif 000010
【図１０】
0005855771.tif 000011
【図１１】
0005855771.tif 000012